(57)【要約】【課題】ユーザの利便性を向上させる情報処理装置等を提供する。【解決手段】指定された位置に加わった圧力値（１ａ）を計測する圧力計測部（２１）と、計測された圧力値（１ａ）が圧力しきい値を超過したか否かを判定する計測値判定部（３１）と、超過しないと判定される場合、当該指定された位置を入力された情報として受け付ける情報入力部（１０）とを備えた。【選択図】図１
2014063220.tif 000002
【特許請求の範囲】
【請求項１】
ユーザにより指定された位置を検知可能な入力面を備え、当該指定された位置に基づいて情報の入力が可能な情報処理装置であって、
前記指定された位置に加わった圧力を計測する第１の計測手段と、
前記第１の計測手段によって計測された圧力が第１のしきい値を超過したか否かを判定する第１の判定手段と、
前記第１の判定手段によって超過しないと判定される場合、当該指定された位置を入力された情報として受け付ける入力手段とを備えたことを特徴とする情報処理装置。
【請求項２】
前記指定された位置の前記入力面に接触した面積を計測する第２の計測手段をさらに備え、
前記第１の計測手段は、前記第２の計測手段によって計測された面積に応じた圧力を計測することを特徴とする請求項１に記載の情報処理装置。
【請求項３】
前記指定された位置における静電容量を計測する第３の計測手段をさらに備え、
前記第１の判定手段は、前記第３の計測手段によって計測された静電容量が第３のしきい値を超過したか否かをさらに判定することを特徴とする請求項１または２に記載の情報処理装置。
【請求項４】
前記指定された位置における温度を計測する第４の計測手段をさらに備え、
前記第１の判定手段は、前記第４の計測手段によって計測された温度が第４のしきい値を超過したか否かをさらに判定することを特徴とする請求項１から３のいずれか１項に記載の情報処理装置。
【請求項５】
前記入力面における位置を指定するための指示具が所定の格納部に格納されているか否かを検出することによって、前記指定された位置が前記指示具によって指定されたか否かを判定する第２の判定手段をさらに備え、
前記第１の判定手段は、前記第２の判定手段によって判定された結果に応じて、しきい値を変更して判定することを特徴とする請求項１から４のいずれか１項に記載の情報処理装置。
【請求項６】
前記情報処理装置の加速度を取得する第１の取得手段をさらに備え、
前記入力手段は、前記第１の取得手段によって取得された加速度が所定の範囲におさまっている場合、前記指定された位置を入力された情報として受け付けることを特徴とする請求項１から５のいずれか１項に記載の情報処理装置。
【請求項７】
前記情報処理装置の位置を取得する第２の取得手段をさらに備え、
前記入力手段は、前記第２の取得手段によって取得された位置が変化していない場合、前記指定された位置を入力された情報として受け付けることを特徴とする請求項１から６のいずれか１項に記載の情報処理装置。
【請求項８】
前記入力手段は、前記情報処理装置が外部の機器と接続されている場合、前記指定された位置を入力された情報として受け付けることを特徴とする請求項１から７のいずれか１項に記載の情報処理装置。
【請求項９】
前記情報処理装置の地面に対する向きを取得する第３の取得手段をさらに備え、
前記入力手段は、前記第３の取得手段によって取得された向きが所定の範囲におさまっている場合、前記指定された位置を入力された情報として受け付けることを特徴とする請求項１から８のいずれか１項に記載の情報処理装置。
【請求項１０】
ユーザにより指定された位置を検知可能な入力面を備え、当該指定された位置に基づいて情報の入力が可能な情報処理装置の制御方法であって、
当該指定された位置に加わった圧力を計測する第１の計測ステップと、
前記第１の計測ステップにおいて計測された圧力が第１のしきい値を超過したか否かを判定する第１の判定ステップと、
前記第１の判定ステップにおいて超過しないと判定される場合、当該指定された位置を入力された情報として受け付ける入力ステップとを含むことを特徴とする情報処理装置の制御方法。
【請求項１１】
請求項１から９のいずれか１項に記載の情報処理装置を動作させるための制御プログラムであって、コンピュータを前記各手段として機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、ユーザにより指定された位置を検知可能な入力面を備え、当該指定された位置に基づいて情報の入力が可能な情報処理装置等に関するものである。
【背景技術】
【０００２】
タッチパネルなどの入力面を備えた表示画面を有する電子機器が広く普及するなか、ユーザが当該電子機器に手書き入力を行う機会が増えている。例えば、タブレット型端末をはじめとする情報端末や一部の家庭用ゲーム機においては、ユーザが指やスタイラスなどの指示具（以下、単に「指示具」と称する）で手書き操作を行うことにより、文字や図形などを入力する形態が一般的である。
【０００３】
したがって、上記電子機器における手書き入力の利便性を向上させる技術が、広く開発されている。例えば、下記の特許文献１には、２つのタッチ領域が検出された場合、両タッチ領域の面積を比較し、小面積のタッチ領域を有効とし、大面積のタッチ領域を無効とするタッチパネル装置が開示されている。
【０００４】
また、下記の特許文献２には、所望の操作キーの操作のみを無効にし、その無効操作を簡易に行うことができる表示機能付き端末装置が開示されている。さらに、下記の特許文献３には、表面と接触する様々な手の部分を識別する方法が開示されている。
【先行技術文献】
【特許文献】
【０００５】
【特許文献１】特開２００６−０３９６８６号公報（２００６年０２月０９日公開）
【特許文献２】特開２００９−１８１２４４号公報（２００９年０８月１３日公開）
【特許文献３】特開２０１２−０９９１６１号公報（２０１２年０５月２４日公開）
【発明の概要】
【発明が解決しようとする課題】
【０００６】
上記電子機器が普及するに伴い、上記入力面を備えた表示画面の筐体に占める割合が増加している。当該電子機器に多くの情報を表示する要請が大きいからである。したがって、タブレット型端末などの比較的筐体の大きい電子機器をユーザが安定して把持するためには、上記入力面に指を押しつけて筐体を支える必要がある。
【０００７】
しかし、入力面に指を接触させると、上記電子機器は当該入力面を介して入力操作が行われたと認識する。したがって、入力面で検知した情報が、ユーザが当該電子機器を把持するために接触させた指によるものであるか、ユーザが当該電子機器を操作するために接触させた指示具によるものであるかを、適切に識別できることが好ましい。
【０００８】
上記の特許文献１に記載のタッチパネル装置は、一方のタッチ領域の面積が他方のタッチ領域の面積よりも大きい場合、前者のタッチ領域による入力を棄却する。すなわち、従来の上記タッチパネル装置は、相対的なタッチ領域の大小にしたがって入力面で検知した情報を識別するが、これだけでは上記２種類の情報を適切に識別できない。
【０００９】
例えば、ユーザが親指を入力面に接触させた左手で電子機器を把持し、右手の人差し指を当該入力面に接触させて当該電子機器を操作する場合、２つの接触領域の面積に差はないからである。同様に、特許文献２・３に記載された従来技術も、上記例のような問題を解決できない。
【００１０】
本発明は、上記の問題点に鑑みてなされたものであり、その目的は、入力面で検知した情報を識別し、ユーザが安定して筐体を把持できるようにすることによって、ユーザの利便性を向上させる情報処理装置等を提供することである。
【課題を解決するための手段】
【００１１】
上記の課題を解決するために、本発明の一態様に係る情報処理装置は、ユーザにより指定された位置を検知可能な入力面を備え、当該指定された位置に基づいて情報の入力が可能な情報処理装置であって、前記指定された位置に加わった圧力を計測する第１の計測手段と、前記第１の計測手段によって計測された圧力が第１のしきい値を超過したか否かを判定する第１の判定手段と、前記第１の判定手段によって超過しないと判定される場合、当該指定された位置を入力された情報として受け付ける入力手段とを備えている。
【００１２】
また、上記の課題を解決するために、本発明の一態様に係る情報処理装置の制御方法は、ユーザにより指定された位置を検知可能な入力面を備え、当該指定された位置に基づいて情報の入力が可能な情報処理装置の制御方法であって、当該指定された位置に加わった圧力を計測する第１の計測ステップと、前記第１の計測ステップにおいて計測された圧力が第１のしきい値を超過したか否かを判定する第１の判定ステップと、前記第１の判定ステップにおいて超過しないと判定される場合、当該指定された位置を入力された情報として受け付ける入力ステップとを含んでいる。
【発明の効果】
【００１３】
本発明の情報処理装置および当該装置の制御方法の一態様によれば、当該装置等は、入力面で検知した情報が、ユーザが当該情報処理装置を把持するために接触させた指によるものであるか、ユーザが当該情報処理装置を操作するために接触させた指示具によるものであるかを適切に識別し、前者によって入力された情報のみを棄却できる。これにより、ユーザは誤入力のおそれを意識することなく、入力面を把持できる。
【００１４】
したがって、本発明の情報処理装置および当該装置の制御方法は、ユーザに安定して筐体を把持させることができるため、ユーザの利便性を向上させることができるという効果を奏する。
【図面の簡単な説明】
【００１５】
【図１】本発明の一実施の形態に係るタブレット型端末の要部構成を示すブロック図である。
【図２】（ａ）は、上記タブレット型端末の外観例を表した模式図であり、（ｂ）は、ユーザによる当該タブレット型端末の操作例を表した模式図である。
【図３】上記タブレット型端末が実行する処理の一例を示すフローチャートである。
【発明を実施するための形態】
【００１６】
図１〜図３に基づいて、本発明の実施の形態を詳細に説明する。
【００１７】
以下では、ユーザはタブレット型端末１００（図１参照）を左手で把持し、右手に把持したスタイラス４を入力面４１に接触させる場合を想定して説明する（図２の（ｂ）参照）。しかし、ユーザがタブレット型端末１００またはスタイラス４を把持する手は、右手であっても左手であってもよい。
【００１８】
また、ユーザはタブレット型端末１００を操作するために、スタイラスなどの指示具ではなく指を用いることもできる。すなわち、以下の記載において、「スタイラス」および「指示具」には、「ユーザの指」が含まれる。ただし、記載の簡潔性を担保するため、単に「スタイラス」または「指示具」とのみ記載する。
【００１９】
さらに、「ユーザが入力面にスタイラスを接触させる」として説明する。しかし、入力面４１が、例えばスタイラスの近接を検知可能なタッチパネルである場合、タブレット型端末１００は、入力面４１に対するスタイラスの近接を検出することによっても、接触の場合と同様に動作可能である。
【００２０】
〔タブレット型端末１００の概要〕
図１に基づいて、タブレット型端末１００の概要を説明する。図１は、タブレット型端末１００の要部構成を示すブロック図である。タブレット型端末（情報処理装置）１００は、ユーザにより指定された位置（以下では「接触位置」ともいう）を検知可能な入力面４１を備え、当該指定された位置に基づいて情報の入力が可能な情報処理装置である。
【００２１】
ユーザがタブレット型端末１００を利用する場合、親指を入力面４１に接触させた左手で当該タブレット型端末を把持し、右手に把持したスタイラス（入力面における位置を指定するための指示具）４を当該入力面に接触させて当該タブレット型端末を操作することが多い（図２の（ｂ）参照）。
【００２２】
しかし前述したように、入力面で検知した情報が、ユーザが電子機器を把持するために接触させた指によるものであるか、ユーザが当該電子機器を操作するために接触させた指示具によるものであるかを、従来の技術は適切に識別できない。（１）取得する情報に上記２種類を識別可能な情報が十分に含まれていない、（２）取得した情報を有効に活用できていない、という２つの問題が未解決だったからである。
【００２３】
タブレット型端末１００は、接触位置における圧力、面積、静電容量、および温度のうち少なくとも１つを計測し、計測値としきい値とを比較することによって、上記２種類（把持または操作）を識別する。
【００２４】
そして、例えば計測値がしきい値を超過したと判定される場合、タブレット型端末１００は、当該指定された位置を入力された情報として受け付けない。これにより、ユーザは誤入力のおそれを意識することなく、入力面４１を把持できる。
【００２５】
したがって、タブレット型端末１００は、ユーザに安定して筐体を把持させることができるため、ユーザの利便性を向上させることができる。
【００２６】
〔タブレット型端末１００の構成〕
図１に基づいて、タブレット型端末１００の構成を説明する。なお、記載の簡潔性を担保する観点から、本実施の形態に直接関係のない部分は、構成の説明およびブロック図から省略した（例えば、図２は表示面７２および電源スイッチ４３を示すが、図１はこれらを省略した）。ただし、実施の実情に則して、タブレット型端末１００は当該省略した構成を含んでもよい。
【００２７】
図１に示すように、タブレット型端末１００は、入力面４１、計測部２０（圧力計測部２１、面積計測部２２、静電容量計測部２３、温度計測部２４）、判定部３０（計測値判定部３１、指示具判定部３２）、情報取得部５０（加速度取得部５１、位置取得部５２、向き取得部５３）、格納部６１、接続コネクタ６２、情報入力部１０を含む。
【００２８】
入力面４１は、当該入力面に接触したスタイラス４の当該入力面上における位置の情報を含む入力信号７ｂを計測部２０（圧力計測部２１、面積計測部２２、静電容量計測部２３、温度計測部２４）に出力する。
【００２９】
なお、入力面４１は、ユーザ操作７ａによる圧力値１ａ、面積値１ｂ、静電容量値１ｃ、および温度値１ｄを含む入力信号７ｂを出力可能な機器でありさえすれば、ハードウェアの種類はタッチパネルに限定されない。
【００３０】
計測部２０は、ユーザによって指定された位置の圧力、面積、静電容量、温度を計測可能な各種センサ（例えば、圧力センサ、温度センサなど。なお、入力面４１が静電容量方式を採用したタッチパネルの場合、接触位置の面積および静電容量は、特別なセンサを搭載しなくとも従来の技術により計測可能である）を備えた機器であり、入力面４１と一体として入力インターフェースを構成してよい。計測部２０は、圧力計測部２１、面積計測部２２、静電容量計測部２３、および温度計測部２４を含む。
【００３１】
圧力計測部（第１の計測手段）２１は、指定された位置に加わった圧力を計測する。具体的には、入力面４１から入力信号７ｂが入力されると、圧力計測部２１は、当該入力面における位置に加わる圧力値１ａを取得し、当該圧力値を計測値判定部３１に出力する。なお、複数の把持点で圧力が計測された場合、圧力計測部２１は、当該複数の把持点における圧力の和を圧力値１ａとする。
【００３２】
面積計測部（第２の計測手段）２２は、指定された位置の前記入力面に接触した面積を計測する。具体的には、入力面４１から入力信号７ｂが入力されると、面積計測部２２は、当該入力面の位置における面積値１ｂを取得し、当該面積値を計測値判定部３１に出力する。
【００３３】
面積計測部２２は、面積値１ｂを圧力計測部２１に出力してもよい。この場合、圧力計測部２１は、面積計測部２２から入力された面積値１ｂに応じた圧力を計測できる。すなわち、入力面４１に加わる圧力が強いほど、スタイラス４またはユーザの指が当該入力面に接触する面積が増加することから、圧力計測部２１は、例えば面積値１ｂを入力とする所定の関数にしたがう計算（例えば、指数関数などの非線形な関数にしたがう計算など）を行うことによっても圧力値１ａを取得できる。
【００３４】
静電容量計測部（第３の計測手段）２３は、指定された位置における静電容量を計測する。具体的には、入力面４１から入力信号７ｂが入力されると、静電容量計測部２３は、当該入力面の位置における静電容量値１ｃを取得し、当該静電容量値を計測値判定部３１に出力する。
【００３５】
温度計測部（第４の計測手段）２４は、指定された位置における温度を計測する。具体的には、入力面４１から入力信号７ｂが入力されると、温度計測部２４は、当該入力面の位置における温度値１ｄを取得し、当該温度値を計測値判定部３１に出力する。
【００３６】
判定部３０は、各種の計測値と所定のしきい値とを比較し、当該計測値がしきい値を超過したか否かを判定するものである。判定部３０は、計測値判定部３１と指示具判定部３２とを含む。
【００３７】
計測値判定部（第１の判定手段）３１は、圧力計測部２１によって計測された圧力値１ａが圧力しきい値（第１のしきい値）を超過したか否かを判定する。具体的には、圧力計測部２１から圧力値１ａが入力されると、計測値判定部３１は、当該圧力値と圧力しきい値とを比較することによって、当該圧力値が圧力しきい値を超過したか否かを示す判定結果３ａを情報入力部１０に出力する。
【００３８】
圧力しきい値λ１は、例えば以下の式で表される。
【００３９】
【数１】
2014063220.tif 000003
【００４０】
ここで、ｍはタブレット型端末１００の重量（ｋｇ）、ｇは重力加速度（ｍ／ｓ２）、μは静止摩擦係数を表す。ｍ＝0.220、ｇ＝9.80665、μ＝0.4のとき、上式によれば、圧力値１ａがλ１＝5.3936575（Ｎ）を超える場合、計測値判定部３１は、当該圧力値が圧力しきい値を超過したことを示す判定結果３ａを情報入力部１０に出力する。
【００４１】
また、計測値判定部３１は、面積計測部２２によって計測された面積値１ｂが面積しきい値（第２のしきい値）を超過したか否かを判定する。具体的には、面積計測部２２から面積値１ｂが入力されると、計測値判定部３１は、当該面積値と面積しきい値とを比較することによって、当該面積値が面積しきい値を超過したか否かを示す判定結果３ａを情報入力部１０に出力する。
【００４２】
面積しきい値λ２は、例えば以下の式で表される。
【００４３】
【数２】
2014063220.tif 000004
【００４４】
ここで、Ｓは圧力を加えない場合の母指（すなわち、入力面４１に触れていない場合の通常時の母指）の大きさ（ｍｍ２）、ａは圧力に依存して決まる定数を表す。指が入力面４１に接触する場合、その接触面積は圧力による１次関数にしたがって、０〜Ｓの範囲で変化する。例えば、Ｓ＝461ｍｍ２の母指に５Ｎの圧力を加えた場合、Ｓのａ=0.8倍の大きさとなるため、面積値１ｂがλ２＝461×0.8＝3.688≒3.7（ｍｍ２）を超える場合、計測値判定部３１は、当該面積値が面積しきい値を超過したことを示す判定結果３ａを情報入力部１０に出力する。
【００４５】
また、Ｓ＝461ｍｍ２の母指に２Ｎの圧力を加えた場合、Ｓのａ=0.6倍の大きさとなるため、面積値１ｂがλ２＝461×0.6＝2.766≒2.8（ｍｍ２）を超える場合、計測値判定部３１は、当該面積値が面積しきい値を超過したことを示す判定結果３ａを情報入力部１０に出力する。
【００４６】
同様に、計測値判定部３１は、静電容量計測部２３によって計測された静電容量値１ｃが静電容量しきい値（第３のしきい値）を超過したか否かを判定する。具体的には、静電容量計測部２３から静電容量値１ｃが入力されると、計測値判定部３１は、当該静電容量値と静電容量しきい値とを比較することによって、当該静電容量値が静電容量しきい値を超過したか否かを示す判定結果３ａを情報入力部１０に出力する。
【００４７】
タブレット型端末１００が、識別のための基礎情報として接触位置の静電容量を用いるのは、次の理由による。すなわち、タブレット型端末１００を把持するために、ユーザが入力面４１に指を接触させた場合、当該タブレット型端末を操作するために入力面４１にスタイラス４を接触させる場合よりも、接触位置における静電容量が大きくなるからである。これは、タブレット型端末１００を把持するために入力面４１に接触させた指は、その表面に通常よりも多くの汗をまとうことによって通電性が高まることによる。
【００４８】
静電容量しきい値λ３は、例えば以下の式で表される。
【００４９】
【数３】
2014063220.tif 000005
【００５０】
すなわち、静電容量値１ｃがλ３＝25（ｐＦ）を超える場合、計測値判定部３１は、当該静電容量値が静電容量しきい値を超過したことを示す判定結果３ａを情報入力部１０に出力する。
【００５１】
同様に、計測値判定部３１は、温度計測部２４によって計測された温度値１ｄが温度しきい値（第４のしきい値）を超過したか否かを判定する。具体的には、温度計測部２４から温度値１ｄが入力されると、計測値判定部３１は、当該温度値と温度しきい値とを比較することによって、当該温度値が温度しきい値を超過したか否かを示す判定結果３ａを情報入力部１０に出力する。
【００５２】
タブレット型端末１００が、識別のための基礎情報として接触位置の温度を用いるのは、次の理由による。すなわち、タブレット型端末１００を把持するために、ユーザが入力面４１に指を接触させた場合、ユーザが当該タブレット型端末を操作するために入力面４１にスタイラス４を接触させる場合よりも、接触位置における温度が上昇するからである。これは、入力面４１に対する反作用によって把持する指に加わる加重により、指の筋肉で消費されるエネルギーが大きくなり、当該エネルギーが指の表面から接触位置に伝わることによる。
【００５３】
温度しきい値λ４は、例えば以下の式で表される。
【００５４】
【数４】
2014063220.tif 000006
【００５５】
ここで、Ｅは接触位置に与えられるエネルギー（Ｗ）、ｍは母指の重量（ｋｇ）、Ｃは4.184（Ｊ）となる定数、βは比熱（kcal/kg℃）を表す。例えば、ｍ＝0.2、β＝0.83とし、生体のエネルギー変換効率を４０％とする仮定の下で、単位時間あたり５Ｎの加重を加えた場合、λ３＝0.018（℃）となる。すなわち、温度値１ｄが、前回の温度値よりもλ３＝0.018（℃）だけ上昇している場合、計測値判定部３１は、当該温度値が温度しきい値を超過したことを示す判定結果３ａを情報入力部１０に出力する。
【００５６】
計測値判定部３１は、指示具判定部３２によって判定された結果に応じて、しきい値（圧力しきい値、面積しきい値、静電容量しきい値、温度しきい値）を変更して判定する。ユーザがタブレット型端末１００を操作するために、入力面４１にスタイラス４を接触させる場合と指を接触させる場合とでは、各計測値が異なるからである。
【００５７】
例えば、スタイラス４が格納されていないことを示す判定結果３ｂが指示具判定部３２から入力された場合、計測値判定部３１は面積しきい値λ２を10（ｍｍ２）に変更する。同様に、計測値判定部３１は静電容量しきい値λ３を0.5（ｐＦ）に変更する。これにより、タブレット型端末１００は、入力面４１で検知した２種類の情報をより適切に識別することができるため、ユーザの利便性をさらに向上させることができる。
【００５８】
また、計測値判定部３１は面積値１ｂによって表される接触位置の面積が、スタイラス４のサイズか否かを判定する。
【００５９】
指示具判定部（第２の判定手段）３２は、スタイラス４が所定の格納部６１に格納されているか否かを検出することによって、指定された位置がスタイラス４によって指定されたか否かを判定する。具体的には、格納部６１から格納情報７ｃが入力されると、指示具判定部３２は、格納部６１にスタイラス４が格納されているか否かを示す判定結果３ｂを計測値判定部３１に出力する。
【００６０】
情報取得部５０は、タブレット型端末１００の加速度、位置、向きを計測可能な各種センサ（例えば、加速度センサ、ＧＰＳセンサ、ジャイロセンサ）を備えた機器である。情報取得部５０は、加速度取得部５１、位置取得部５２、および向き取得部５３を含む。
【００６１】
加速度取得部（第１の取得手段）５１は、タブレット型端末１００の加速度情報（加速度）２ａを取得し、当該加速度情報２ａを情報入力部１０に出力する。
【００６２】
位置取得部（第２の取得手段）５２は、タブレット型端末１００の位置情報（位置）２ｂを取得し、当該位置情報を情報入力部１０に出力する。
【００６３】
向き取得部（第３の取得手段）５３は、タブレット型端末１００の向き情報（地面に対する向き）２ｃを取得し、当該向き情報を情報入力部１０に出力する。
【００６４】
格納部６１は、ユーザがスタイラス４を格納するためのポケットである。図１は、格納部６１がタブレット型端末１００の外部に付加された形態で当該格納部を示しているが、格納部６１は、例えばタブレット型端末１００の筐体に開けられた穴のように、タブレット型端末１００の内部に備えられたものであってもよい。
【００６５】
接続コネクタ６２は、タブレット型端末１００を外部の機器に接続するためのインターフェースである。インターフェースの規格は特に限定されない。例えば、タブレット型端末１００がＵＳＢ充電コネクタ（接続コネクタ６２の例）を介して、情報充電台に接続されている場合などが想定される。
【００６６】
情報入力部（入力手段）１０は、計測値判定部３１によってしきい値を超過しないことを示す判定結果３ａが入力された場合、入力面４１が検知した接触位置を入力された情報として受け付ける（超過したことを示す判定結果３ａが入力された場合、入力面４１が検知した接触位置を入力された情報として受け付けない）。
【００６７】
ただし、（１）加速度取得部５１から入力された加速度情報２ａが所定の範囲におさまっている場合、（２）位置取得部５２から入力された位置情報２ｂが変化していない場合、（３）向き取得部５３から入力された向き情報２ｃが所定の範囲におさまっている場合、（４）接続コネクタ６２から入力された接続情報７ｄによって、タブレット型端末１００に外部の機器が接続されていると判定できる場合、情報入力部１０は、入力面４１が検知した接触位置を入力された情報として受け付ける。上記（１）〜（４）の場合、ユーザは安定した状態でタブレット型端末１００を操作していると推測できるからである。
【００６８】
例えば、垂直方向の加速度が±0.06（Ｇ）、または水平方向の加速度が0〜0.3（Ｇ）の範囲（所定の範囲）におさまっている場合、ユーザは安定した状態（例えば、タブレット型端末１００を机の上に置いた状態）でタブレット型端末１００を使用していると情報入力部１０は判定し、入力面４１が検知した接触位置を入力された情報として受け付ける。
【００６９】
同様に、向きが±30（°）の範囲（所定の範囲）におさまっている場合、情報入力部１０は、入力面４１が検知した接触位置を入力された情報として受け付ける。
【００７０】
〔タブレット型端末１００の外観および操作例〕
図２に基づいて、タブレット型端末１００の外観および操作の一例を説明する。図２の（ａ）は、タブレット型端末１００の外観例を表した模式図であり、図２の（ｂ）は、ユーザによるタブレット型端末１００の操作例を表した模式図である。
【００７１】
図２の（ａ）に示すように、タブレット型端末１００は、入力面４１、表示面７２、および電源スイッチ４３を備える。
【００７２】
例えば、入力面４１をタッチパネルで、表示面７２を液晶ディスプレイで実現する場合、図２の（ａ）に示すように、両者は一体として構成されてよい。これにより、入力面４１に対するスタイラス４の接触位置と、表示面７２が当該接触に応じて表示する図形等の表示位置とが一致するため、ユーザは自然な入力感覚を得ることができる。
【００７３】
図２の（ｂ）に示すように、ユーザはスタイラス４を用いて入力面４１をタッチし、タブレット型端末１００に当該入力面における位置を指定することにより（入力面上の座標を与えることにより）、アイコンを選択するなどの指示情報をタブレット型端末１００に与えることができる。
【００７４】
上記のように、タブレット型端末１００は携帯型の情報端末である。ここで、タブレット型端末１００と同等の機能は、携帯電話、スマートフォン、パーソナルコンピュータなどでも実現できることに注意する。すなわち、所定の動作に必要な情報を取得可能な電子機器でありさえすれば、端末はタブレット型端末でなくともよい。
【００７５】
〔タブレット型端末１００が実行する処理〕
図３に基づいて、タブレット型端末１００が実行する処理の流れを説明する。図３は、タブレット型端末１００が実行する処理の一例を示すフローチャートである。なお、以下の説明において、カッコ書きの「〜ステップ」は制御方法の各ステップを表す。
【００７６】
入力面４１が接触位置を検知すると（ステップ１においてＹＥＳ、以下では「ステップ１」を「Ｓ１」などのように略記する）、指示具判定部３２は、格納部６１にスタイラス４が格納されているか否かを判定する（Ｓ２）。
【００７７】
格納されていると判定される場合（Ｓ２においてＹＥＳ）、面積計測部２２はタッチ領域（接触位置）の面積を計測し（Ｓ３）、計測値判定部３１は当該面積がスタイラス４のサイズか否かを判定する（Ｓ４）。
【００７８】
一方、格納されていないと判定される場合（Ｓ２においてＮＯ）、圧力計測部２１はタッチ位置の圧力を計測し（Ｓ５、計測ステップ）、計測値判定部３１は当該圧力が圧力しきい値を超過しているか否かを判定する（Ｓ６、第１の判定ステップ）。
【００７９】
当該面積はスタイラス４のサイズであると判定される場合（Ｓ４においてＹＥＳ）、または圧力しきい値を超過していないと判定される場合（Ｓ６においてＮＯ）、静電容量計測部２３はタッチ位置の静電容量を計測し（Ｓ７）。計測値判定部３１は当該静電容量が静電容量しきい値を超過しているか否かを判定する（Ｓ８）。
【００８０】
超過していないと判定される場合（Ｓ８においてＮＯ）、温度計測部２４はタッチ位置の温度を計測し（Ｓ９）、計測値判定部３１は、当該温度が、前回の温度よりも温度しきい値を超えて上昇しているか否かを判定する（Ｓ１０）。
【００８１】
上昇していないと判定される場合（Ｓ１０においてＮＯ）、情報入力部１０は、入力信号７ｂによって表される情報を入力として受け付ける（Ｓ１１、入力ステップ）。
【００８２】
〔タブレット型端末１００が奏する効果〕
タブレット型端末１００は、入力面４１で検知した情報が、ユーザが当該タブレット型端末を把持するために接触させた指によるものであるか、ユーザが当該タブレット型端末を操作するために接触させたスタイラス４によるものであるかを適切に識別し、前者によって入力された情報のみを棄却できる。
【００８３】
したがって、タブレット型端末１００は、ユーザに安定して筐体を把持させることができるため、ユーザの利便性を向上させることができるという効果を奏する。
【００８４】
〔まとめ〕
本発明の一態様に係る情報処理装置（タブレット型端末１００）は、
（１）ユーザにより指定された位置を検知可能な入力面を備え、当該指定された位置に基づいて情報の入力が可能な情報処理装置であって、
（２）前記指定された位置に加わった圧力を計測する第１の計測手段と、
（３）前記第１の計測手段によって計測された圧力が第１のしきい値を超過したか否かを判定する第１の判定手段と、
（４）前記第１の判定手段によって超過しないと判定される場合、当該指定された位置を入力された情報として受け付ける入力手段とを備えている。
【００８５】
また、本発明の一態様に係る情報処理装置の制御方法は、
（１）ユーザにより指定された位置を検知可能な入力面を備え、当該指定された位置に基づいて情報の入力が可能な情報処理装置の制御方法であって、
（２）当該指定された位置に加わった圧力を計測する第１の計測ステップと、
（３）前記第１の計測ステップにおいて計測された圧力が第１のしきい値を超過したか否かを判定する第１の判定ステップと、
（４）前記第１の判定ステップにおいて超過しないと判定される場合、当該指定された位置を入力された情報として受け付ける入力ステップとを含んでいる。
【００８６】
〔発明が解決しようとする課題〕において説明したように、入力面で検知した情報が、ユーザが電子機器を把持するために接触させた指によるものであるか、ユーザが当該電子機器を操作するために接触させた指示具（スタイラスなどの指示具やユーザの指を含む）によるものであるかを、従来の技術は適切に識別できない。（１）取得する情報に上記２種類を識別可能な情報が十分に含まれていない、（２）取得した情報を有効に活用できていない、という２つの問題が未解決だからである。
【００８７】
これに対し、上記構成（１）〜（４）によれば、本発明の一態様に係る情報処理装置および当該装置の制御方法は、指定された位置に加わった圧力を計測し、計測された圧力が第１のしきい値を超過したか否かを判定し、超過しないと判定される場合のみ、当該指定された位置を入力された情報として受け付ける（超過したと判定される場合は、当該指定された位置を入力された情報として受け付けない）。
【００８８】
すなわち、上記情報処理装置等が計測する「指定された位置に加わった圧力」には、上記２種類を識別可能な情報が十分に含まれている。また、上記情報処理装置等は、計測した圧力としきい値とを比較するという簡単な方法により、上記識別可能な情報を十分に抽出できる。そして、上記情報処理装置等は、入力面で検知した接触が「把持するために接触させた指によるもの」と識別できる場合、当該接触による入力を受け付けない。
【００８９】
これにより、上記情報処理装置等は、上記２種類の情報を適切に識別し、把持するために接触させた指によって入力された情報のみを棄却できるため、ユーザは誤入力のおそれを意識することなく、入力面を把持できる。
【００９０】
したがって、本発明の一態様に係る情報処理装置および当該装置の制御方法は、ユーザに安定して筐体を把持させることができるため、ユーザの利便性を向上させることができる。
【００９１】
また、本発明の一態様に係る情報処理装置は、
（１）前記指定された位置の前記入力面に接触した面積を計測する第２の計測手段をさらに備え、
（２）前記第１の計測手段は、前記第２の計測手段によって計測された面積に応じた圧力を計測してもよい。
【００９２】
入力面に加わる圧力の強さと、スタイラスやユーザの指が当該入力面に接触する面積との間には、相関関係が認められることが多い。上記構成（１）〜（２）によれば、上記情報処理装置は、面積を入力とする所定の計算を行うことによって圧力を計測できる。
【００９３】
これにより、上記情報処理装置は、入力面で検知した上記２種類の情報をより適切に識別することができる。したがって、上記情報処理装置は、ユーザに一層安定して筐体を把持させることができるため、ユーザの利便性をさらに向上させることができる。
【００９４】
また、本発明の一態様に係る情報処理装置は、
（１）前記指定された位置における静電容量を計測する第３の計測手段をさらに備え、
（２）前記第１の判定手段は、前記第３の計測手段によって計測された静電容量が第３のしきい値を超過したか否かをさらに判定してもよい。
【００９５】
上記情報処理装置を把持するために、ユーザが入力面に指を接触させた場合、当該情報処理装置を操作するために入力面に指示具や指を接触させる場合よりも、接触位置における静電容量が大きくなる。上記情報処理装置を把持するために入力面に接触させた指は、その表面に通常よりも多くの汗をまとうことによって通電性が高まるからである。
【００９６】
上記構成（１）〜（２）によれば、上記情報処理装置は、指定された位置の静電容量を計測し、当該静電容量を識別の基礎情報とすることができる。
【００９７】
これにより、上記情報処理装置は、入力面で検知した上記２種類の情報をより適切に識別することができる。したがって、上記情報処理装置は、ユーザに一層安定して筐体を把持させることができるため、ユーザの利便性をさらに向上させることができる。
【００９８】
また、本発明の一態様に係る情報処理装置は、
（１）前記指定された位置における温度を計測する第４の計測手段をさらに備え、
（２）前記第１の判定手段は、前記第４の計測手段によって計測された温度が第４のしきい値を超過したか否かをさらに判定してもよい。
【００９９】
上記情報処理装置を把持するために、ユーザが入力面に指を接触させた場合、ユーザが当該情報処理装置を操作するために入力面に指示具や指を接触させる場合よりも、接触位置における温度が上昇する。入力面に対する反作用によって把持する指に加わる加重により、指の筋肉で消費されるエネルギーが大きくなり、当該エネルギーが指の表面から接触位置に伝わるからである。
【０１００】
上記構成（１）〜（２）によれば、上記情報処理装置は、指定された位置の温度を計測し、当該温度を識別の基礎情報とすることができる。
【０１０１】
これにより、上記情報処理装置は、入力面で検知した上記２種類の情報をより適切に識別することができる。したがって、上記情報処理装置は、ユーザに一層安定して筐体を把持させることができるため、ユーザの利便性をさらに向上させることができる。
【０１０２】
また、本発明の一態様に係る情報処理装置は、
（１）前記入力面における位置を指定するための指示具が所定の格納部に格納されているか否かを検出することによって、前記指定された位置が前記指示具によって指定されたか否かを判定する第２の判定手段をさらに備え、
（２）前記第１の判定手段は、前記第２の判定手段によって判定された結果に応じて、しきい値を変更して判定してもよい。
【０１０３】
ユーザが上記情報処理装置を操作するために、入力面にスタイラスなどの指示具を接触させる場合と指を接触させる場合とでは、面積、温度、静電容量などの計測値が異なる。
【０１０４】
上記構成（１）〜（２）によれば、指示具が所定の格納部に格納されている場合、上記情報処理装置はユーザが指で操作していると判定し、指示具が所定の格納部に格納されていない場合とは異なるしきい値（上記第１のしきい値、第２のしきい値、第３のしきい値、および第４のしきい値のうち少なくとも１つをさす）を使用する。
【０１０５】
これにより、上記情報処理装置は、入力面で検知した上記２種類の情報をより適切に識別することができる。したがって、上記情報処理装置は、ユーザに一層安定して筐体を把持させることができるため、ユーザの利便性をさらに向上させることができる。
【０１０６】
また、本発明の一態様に係る情報処理装置は、
（１）前記情報処理装置の加速度を取得する第１の取得手段をさらに備え、
（２）前記入力手段は、前記第１の取得手段によって取得された加速度が所定の範囲におさまっている場合、前記指定された位置を入力された情報として受け付けてもよい。
【０１０７】
上記加速度が所定の範囲におさまる場合、ユーザは安定した状態（例えば、上記情報処理装置を机の上に置いた状態）で上記情報処理装置を使用していると考えられる。すなわち、ユーザが指を入力面に接触させて上記情報処理装置を把持している可能性は低いと推測できる。
【０１０８】
上記構成（１）〜（２）によれば、加速度が所定の範囲におさまる場合、上記情報処理装置は入力面の接触による入力情報を棄却しない。したがって、上記情報処理装置は、ユーザの利便性をさらに向上させることができる。
【０１０９】
また、本発明の一態様に係る情報処理装置は、
（１）前記情報処理装置の位置を取得する第２の取得手段をさらに備え、
（２）前記入力手段は、前記第２の取得手段によって取得された位置が変化していない場合、前記指定された位置を入力された情報として受け付けてもよい。
【０１１０】
上記位置が変化しない場合、ユーザは安定した状態で上記情報処理装置を使用していると考えられる。すなわち、ユーザが指を入力面に接触させて上記情報処理装置を把持している可能性は低いと推測できる。
【０１１１】
上記構成（１）〜（２）によれば、位置が変化しない場合、上記情報処理装置は入力面の接触による入力情報を棄却しない。したがって、上記情報処理装置は、ユーザの利便性をさらに向上させることができる。
【０１１２】
また、本発明の一態様に係る情報処理装置では、
（１）前記入力手段は、前記情報処理装置が外部の機器と接続されている場合、前記指定された位置を入力された情報として受け付けてもよい。
【０１１３】
上記情報処理装置が外部の機器と接続されている場合、ユーザは安定した状態で上記情報処理装置を使用していると考えられる。すなわち、ユーザが指を入力面に接触させて上記情報処理装置を把持している可能性は低いと推測できる。
【０１１４】
上記構成（１）によれば、上記情報処理装置が外部の機器と接続されている場合、上記情報処理装置は入力面の接触による入力情報を棄却しない。したがって、上記情報処理装置は、ユーザの利便性をさらに向上させることができる。
【０１１５】
また、本発明の一態様に係る情報処理装置は、
（１）前記情報処理装置の地面に対する向きを取得する第３の取得手段をさらに備え、
（２）前記入力手段は、前記第３の取得手段によって取得された向きが所定の範囲におさまっている場合、前記指定された位置を入力された情報として受け付けてもよい。
【０１１６】
上記地面に対する向きが所定の範囲におさまる場合、ユーザは安定した状態で上記情報処理装置を使用していると考えられる。すなわち、ユーザが指を入力面に接触させて上記情報処理装置を把持している可能性は低いと推測できる。
【０１１７】
上記構成（１）〜（２）によれば、上記地面に対する向きが所定の範囲におさまる場合、上記情報処理装置は入力面の接触による入力情報を棄却しない。したがって、上記情報処理装置は、ユーザの利便性をさらに向上させることができる。
【０１１８】
なお、前記情報処理装置はコンピュータによって実現してもよい。この場合には、コンピュータを前記情報処理装置の各手段として動作させることにより、前記情報処理装置をコンピュータで実現させる制御プログラム、およびこれを記録したコンピュータ読み取り可能な記録媒体も本発明の範疇に入る。
【０１１９】
〔各実施の形態に含まれる構成（技術的手段）の組み合わせについて〕
上述した実施の形態に含まれる構成は、適宜組み合わせられることに注意する。すなわち、上記の実施の形態で説明したすべての構成は、当該説明に係る実施の形態のみならず、他の実施の形態においても当該構成の全部または一部を組み合わせて利用でき、それによって得られる実施の形態についても本発明の技術的範囲に含まれる。
【０１２０】
〔ソフトウェアによる実現例〕
最後に、タブレット型端末１００の各ブロックは、集積回路（ＩＣチップ）上に形成された論理回路によってハードウェア的に実現してもよいし、ＣＰＵ（Central Processing Unit）を用いてソフトウェア的に実現してもよい。
【０１２１】
後者の場合、タブレット型端末１００は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備える。そして、本発明の目的は、上述した機能を実現するソフトウェアであるタブレット型端末１００の制御プログラムのプログラムコード（実行形式プログラム、中間コードプログラム、ソースプログラム）をコンピュータで読み取り可能に記録した記録媒体を、上記タブレット型端末１００に供給し、そのコンピュータ（またはＣＰＵやＭＰＵ）が記録媒体に記録されているプログラムコードを読み出し実行することによっても、達成可能である。
【０１２２】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１２３】
また、タブレット型端末１００を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１２４】
このように、本明細書においては、手段とは必ずしも物理的手段を意味せず、各手段の機能がソフトウェアによって実現される場合も含む。また、１つの手段の機能が２つ以上の物理的手段により実現されてもよいし、２つ以上の手段の機能が１つの物理的手段により実現されてもよい。
【産業上の利用可能性】
【０１２５】
本発明は、タブレット型端末、携帯電話、スマートフォン、パーソナルコンピュータなど、ユーザにより指定された位置を検知可能な入力面を備え、当該指定された位置に基づいて情報の入力が可能な情報処理装置等に適用できる。
【符号の説明】
【０１２６】
１ａ  圧力値（圧力）
１ｂ  面積値（面積）
１ｃ  静電容量値（静電容量）
１ｄ  温度値（温度）
２ａ  加速度情報（加速度）
２ｂ  位置情報（位置）
２ｃ  向き情報（地面に対する向き）
４    スタイラス（指示具）
７ａ  ユーザ操作（ユーザの操作）
１０    情報入力部（入力手段）
２１    圧力計測部（第１の計測手段）
２２    面積計測部（第２の計測手段）
２３    静電容量計測部（第３の計測手段）
２４    温度計測部（第４の計測手段）
３１    計測値判定部（第１の判定手段）
３２    指示具判定部（第２の判定手段）
４１    入力面（入力面）
５１    加速度取得部（第１の取得手段）
５２    位置取得部（第２の取得手段）
５３    向き取得部（第３の取得手段）
６１    格納部（所定の格納部）
１００    タブレット型端末（情報処理装置）
【図１】
2014063220.tif 000007
【図２】
2014063220.tif 000008
【図３】
2014063220.tif 000009